(57)【要約】【課題】  薄型化を図り塵埃などの異物がディスク挿通口から侵入しないようにする。【解決手段】  キャビネット１内にテレビジョン受像機とディスク装置とが配置されたディスク装置一体型テレビジョン受像機において、前記テレビジョン受像機が薄型テレビジョン受像機からなり、前記ディスク装置がスロットイン式ＤＶＤレコーダ５であって前記薄型テレビジョン受像機の後側に配置され、該スロットイン式ＤＶＤレコーダ５に対向して前記キャビネット１の天板部１０にディスク挿通口６が形成され、該ディスク挿通口６を開閉する開閉蓋１３が設けられている。【選択図】        図７
0003111797.tif 000002
【実用新案登録請求の範囲】
【請求項１】
キャビネット内の上部にテレビジョン受像機が配置されると共に、該キャビネット内の
下部にトレイ式ディスク装置が配置されたディスク装置一体型テレビジョン受像機におい
て、前記テレビジョン受像機が薄型テレビジョン受像機からなり、前記トレイ式ディスク
装置に代えてスロットイン式ディスク装置が薄型テレビジョン受像機の後側に配置され、
そのスロットイン式ディスク装置に対向して前記キャビネットの天板部にディスク挿通口
が形成され、該ディスク挿通口を開閉する開閉蓋が設けられ、該開閉蓋の両端に一体突設
した左右一対のアームの遊端が前記天板部の下面のディスク挿通口より後側に突設した軸
受部に枢支軸を介して回動可能に枢支され、その一方（または両方）のアームに対向して
前記天板部の下面の軸受部より前側に係止片が一体突設され、該係止片の枢支軸より斜め
下位置に形成した係止孔とそれに対向するアームの中央部に形成した可動孔とにばねの両
端を係合させることにより、その可動孔が係止孔と枢支軸とを結ぶ仮想線よりも下側に位
置するときに前記ばねの付勢力が下向きに作用し、その可動孔が前記仮想線よりも上側に
位置するときに前記ばねの付勢力が上向きに作用するように形成されており、エジェクト
信号に基づいてスロットイン式ディスク装置からディスク挿通口を通って押し上げられた
ディスクにより開閉蓋をばねに抗して開動させるようにしたことを特徴とするディスク装
置一体型テレビジョン受像機。
【請求項２】
キャビネット内にテレビジョン受像機とディスク装置とが配置されたディスク装置一体
型テレビジョン受像機において、前記テレビジョン受像機が薄型テレビジョン受像機から
なり、前記ディスク装置がスロットイン式ディスク装置であって前記薄型テレビジョン受
像機の後側に配置され、該スロットイン式ディスク装置に対向して前記キャビネットの天
板部にディスク挿通口が形成され、該ディスク挿通口を開閉する開閉蓋が設けられている
ことを特徴とするディスク装置一体型テレビジョン受像機。
【請求項３】
前記開閉蓋の両端に一体突設した左右一対のアームの遊端が前記天板部の下面のディス
ク挿通口より後側に突設した軸受部に枢支軸を介して回動可能に枢支され、その一方（ま
たは両方）のアームに対向して前記天板部の下面の軸受部より前側に係止片が一体突設さ
れ、該係止片の枢支軸より斜め下位置に形成した係止孔とそれに対向するアームの中央部
に形成した可動孔とにばねの両端を係合させることにより、その可動孔が係止孔と枢支軸
とを結ぶ仮想線よりも下側に位置するときに前記ばねの付勢力が下向きに作用し、その可
動孔が前記仮想線よりも上側に位置するときに前記ばねの付勢力が上向きに作用するよう
に形成されており、エジェクト信号に基づいてスロットイン式ディスク装置からディスク
挿通口を通って押し上げられたディスクにより開閉蓋をばねに抗して開動させるようにし
たことを特徴とする請求項２に記載のディスク装置一体型テレビジョン受像機。
【考案の詳細な説明】
【技術分野】
【０００１】
本考案は、例えば液晶パネルなどの薄型テレビジョン受像機とスロットイン式ＤＶＤな
どのスロットイン式ディスク装置とをキャビネット内に配置したディスク装置一体型テレ
ビジョン受像機に関し、特に、薄型化を図り塵埃などの異物がディスク挿通口から侵入し
ないようにしたものである。
【背景技術】
【０００２】
従来、ディスク装置一体型テレビジョン受像機の技術として特許文献１などに記載した
ものがあり、その一例を図８に基づいて説明すると、これは、キャビネット１内の上部に
テレビジョン受像機２が配置されると共に、該キャビネット１内の下部にトレイ式ディス
ク装置３が配置されており、エジェクト信号に基づいてトレイ３ａを前進させ、該トレイ
３ａ上にディスクＤを載置し、ローディング信号に基づいてトレイ３ａを後進させること
により、ディスクＤをディスク装置３内に引き込み、そのディスクＤに記録されている情
報の再生や録画または消去を行う。
【特許文献１】特開２００２−３３４５６６号公報
【考案の開示】
【考案が解決しようとする課題】
【０００３】
上記従来の構成では、トレイ式ディスク装置３が横置きされており、その奥行き幅ｔが
大きいため、キャビネット１の奥行き幅Ｔも当然大きくなって嵩張り、ユーザの薄型化の
要望に応じることができない。
【０００４】
また、テレビジョン受像機２として液晶パネルなどの薄型テレビジョン受像機を用い、
その薄型テレビジョン受像機の後側にトレイ式ディスク装置３を縦置きすることも考えら
れるが、これでも、トレイ式ディスク装置３の高さｈがトレイ３ａの分だけ大きくなって
嵩張るため、ユーザの薄型化の要望に充分に対応することができない。
【０００５】
そこで、図８に仮想線で示すように、トレイ式ディスク装置３に代えてスロットイン式
ＤＶＤレコーダ（ディスク装置）５を縦置きし、該スロットイン式ＤＶＤレコーダ５に対
向してキャビネット１の天板部にディスク挿通口６を形成し、そのディスク挿通口６を通
ってスロットイン式ＤＶＤレコーダ５に対してディスクＤの挿抜操作を行うことが考えら
れるが、これでは、ディスク挿通口６が上向きに開放されているため、そのディスク挿通
口６からスロットイン式ＤＶＤレコーダ５内に塵埃などの異物が侵入しやすく、故障の原
因になる。
【０００６】
本考案は、上記従来の欠点に鑑み、薄型化を図り塵埃などの異物がディスク挿通口から
侵入しないようにしたディスク装置一体型テレビジョン受像機を提供することを目的とし
ている。
【課題を解決するための手段】
【０００７】
上記目的を達成するため、請求項１に記載の考案は、キャビネット内の上部にテレビジ
ョン受像機が配置されると共に、該キャビネット内の下部にトレイ式ディスク装置が配置
されたディスク装置一体型テレビジョン受像機において、前記テレビジョン受像機が薄型
テレビジョン受像機からなり、前記トレイ式ディスク装置に代えてスロットイン式ディス
ク装置が薄型テレビジョン受像機の後側に配置され、そのスロットイン式ディスク装置に
対向して前記キャビネットの天板部にディスク挿通口が形成され、該ディスク挿通口を開
閉する開閉蓋が設けられ、該開閉蓋の両端に一体突設した左右一対のアームの遊端が前記
天板部の下面のディスク挿通口より後側に突設した軸受部に枢支軸を介して回動可能に枢
支され、その一方（または両方）のアームに対向して前記天板部の下面の軸受部より前側
に係止片が一体突設され、該係止片の枢支軸より斜め下位置に形成した係止孔とそれに対
向するアームの中央部に形成した可動孔とにばねの両端を係合させることにより、その可
動孔が係止孔と枢支軸とを結ぶ仮想線よりも下側に位置するときに前記ばねの付勢力が下
向きに作用し、その可動孔が前記仮想線よりも上側に位置するときに前記ばねの付勢力が
上向きに作用するように形成されており、エジェクト信号に基づいてスロットイン式ディ
スク装置からディスク挿通口を通って押し上げられたディスクにより開閉蓋をばねに抗し
て開動させるようにしたことを特徴としている。
【０００８】
請求項２記載の考案は、キャビネット内にテレビジョン受像機とディスク装置とが配置
されたディスク装置一体型テレビジョン受像機において、前記テレビジョン受像機が薄型
テレビジョン受像機からなり、前記ディスク装置がスロットイン式ディスク装置であって
前記薄型テレビジョン受像機の後側に配置され、該スロットイン式ディスク装置に対向し
て前記キャビネットの天板部にディスク挿通口が形成され、該ディスク挿通口を開閉する
開閉蓋が設けられていることを特徴としている。
【０００９】
請求項３に記載の考案は、請求項２に記載の考案において、前記開閉蓋の両端に一体突
設した左右一対のアームの遊端が前記天板部の下面のディスク挿通口より後側に突設した
軸受部に枢支軸を介して回動可能に枢支され、その一方（または両方）のアームに対向し
て前記天板部の下面の軸受部より前側に係止片が一体突設され、該係止片の枢支軸より斜
め下位置に形成した係止孔とそれに対向するアームの中央部に形成した可動孔とにばねの
両端を係合させることにより、その可動孔が係止孔と枢支軸とを結ぶ仮想線よりも下側に
位置するときに前記ばねの付勢力が下向きに作用し、その可動孔が前記仮想線よりも上側
に位置するときに前記ばねの付勢力が上向きに作用するように形成されており、エジェク
ト信号に基づいてスロットイン式ディスク装置からディスク挿通口を通って押し上げられ
たディスクにより開閉蓋をばねに抗して開動させるようにしたことを特徴としている。
【考案の効果】
【００１０】
請求項１に記載の考案は、実施の一形態（図１〜図７参照）に対応するものであって、
これによれば、液晶パネルなどの薄型テレビジョン受像機と、トレイ式ディスク装置に比
べてトレイが無い分だけ薄型になっているスロットイン式ディスク装置とを縦置き状にキ
ャビネット内に組み込んでいるから、そのキャビネットの奥行き幅が小さくなり、ユーザ
の薄型化の要望に充分に対応することができる。
【００１１】
また、スロットイン式ディスク装置に対向してキャビネットの天板部に形成したディス
ク挿通口をディスクの挿抜操作を行うとき以外は開閉蓋で閉鎖するようになっているから
、そのディスク挿通口からスロットイン式ディスク装置内に塵埃などの異物が侵入するの
を阻止して、異物侵入による故障の発生を防ぐことができる。
【００１２】
更に、１つのばねだけで、開閉蓋を閉動させてディスク挿通口を閉鎖する閉鎖姿勢と、
該開閉蓋を開動させてディスク挿通口を開放する開放姿勢とをそれぞれ保持することがで
き、部品点数が少なく構造が簡単で製作費が安くつく。
【００１３】
しかも、エジェクト信号に基づいてスロットイン式ディスク装置からディスクを押し上
げると、そのディスクにより開閉蓋をばねに抗して自動的に開動させて、そのディスクの
上端部をディスク挿通口から上方に突出させるので、その突出した上端部を把持してディ
スクをスロットイン式ディスク装置から簡単に取り出すことができる。
【００１４】
請求項２に記載の考案は、基本形態に対応するものであって、これによれば、液晶パネ
ルなどの薄型テレビジョン受像機と、トレイ式ディスク装置に比べてトレイが無い分だけ
薄型になっているスロットイン式ディスク装置とをキャビネット内に縦置き状に組み込ん
でいるから、そのキャビネットの奥行き幅が小さくなり、ユーザの薄型化の要望に充分に
対応することができる。
【００１５】
また、スロットイン式ディスク装置に対向してキャビネットの天板部に形成したディス
ク挿通口をディスクの挿抜操作を行うとき以外は開閉蓋で閉鎖するようになっているから
、そのディスク挿通口からスロットイン式ディスク装置内に塵埃などの異物が侵入するの
を阻止して、異物侵入による故障の発生を防ぐことができる。
【００１６】
請求項３に記載の考案によれば、１つのばねだけで、開閉蓋を閉動させてディスク挿通
口を閉鎖する閉鎖姿勢と、該開閉蓋を開動させてディスク挿通口を開放する開放姿勢とを
それぞれ保持することができ、部品点数が少なく構造が簡単で製作費が安くつく。
【００１７】
また、エジェクト信号に基づいてスロットイン式ディスク装置からディスクを押し上げ
ると、そのディスクにより開閉蓋をばねに抗して自動的に開動させて、そのディスクの上
端部をディスク挿通口から上方に突出させるので、その突出した上端部を把持してディス
クをスロットイン式ディスク装置から簡単に取り出すことができる。
【考案を実施するための最良の形態】
【００１８】
図１〜図３は本考案の実施の一形態であるディスク装置一体型テレビジョン受像機を示
すものであって、キャビネット１内の前部に液晶パネルなどからなる薄型テレビジョン受
像機７が配置されると共に、該キャビネット１内の薄型テレビジョン受像機７の後側にス
ロットイン式ＤＶＤレコーダ（ディスク装置）５が縦置き状に配置され、該スロットイン
式ＤＶＤレコーダ５に対向してキャビネット１の上部開口に着脱可能に取り付けた天板部
１０の上面中央に平面視横長矩形状凹部１１が凹設され、該凹部１１の底面にディスク挿
通口６が形成され、該ディスク挿通口６を開閉する開閉蓋１３が凹部１１内に嵌め込まれ
ている。なお、開閉蓋１３の上面中央に摘まみ部１３ａが一体突設されている。
【００１９】
上記構成によれば、液晶パネルなどの薄型テレビジョン受像機７と、トレイ式ディスク
装置３（図８参照）に比べてトレイ３ａが無い分だけ薄型になっているスロットイン式Ｄ
ＶＤレコーダ５とを縦置き状にキャビネット１内に組み込んでいるから、そのキャビネッ
ト１の奥行き幅Ｔが小さくなり、ユーザの薄型化の要望に充分に対応することができる。
【００２０】
また、ディスク挿通口６をディスクＤの挿抜操作（図３参照）を行うとき以外は開閉蓋
１３で閉鎖（図２参照）するようになっているから、そのディスク挿通口６からスロット
イン式ＤＶＤレコーダ５内に塵埃などの異物が侵入するのを阻止して、異物侵入による故
障の発生を防ぐことができる。
【００２１】
図４〜図７に示すように、開閉蓋１３の下面両端に左右一対の側面視略Ｕ字状アーム１
５が一体突設され、該各アーム１５の遊端を凹部１１の底面両端に貫設した貫通孔１６に
挿通し、その各アーム１５の遊端に一体突設した枢支軸１５ａを天板部１０の下面のディ
スク挿通口６よりも後側に突設した軸受部１７の枢支孔１７ａに回転可能に挿通すること
により、両枢支軸１５ａを中心に開閉蓋１３が開閉動ａ，ｂ可能に枢支されている。
【００２２】
図４〜図６に示すように、一方のアーム１５に対向して天板部１０の下面の軸受部１７
より前側に係止片１９が一体突設され、該係止片１９の枢支軸１５ａより斜め下位置に形
成した係止孔１９ａとそれに対向するアーム１５のほぼ中央に形成した可動孔１５ｂとに
コイル状ばね２０の両端が係合されている。
【００２３】
上記構成において、図６（ａ）に示すように、可動孔１５ｂが係止孔１９ａと枢支軸１
５ａとを結ぶ仮想線Ｓよりも下側に位置するときには、ばね２０の付勢力Ｆａが下向きに
作用し、開閉蓋１３を閉動ｂさせてディスク挿通口６を閉鎖する〔図７（ａ）参照〕。
【００２４】
図６（ｂ）に示すように、開閉蓋１３の開度αを３０°程度にして、前記可動孔１５ｂ
が仮想線Ｓ上に位置している状態では、そのばね２０の下向きの付勢力Ｆａと上向きの付
勢力Ｆｂとがほぼ釣り合う〔図７（ｂ）参照〕。
【００２５】
図６（ｃ）に示すように、可動孔１５ｂが仮想線Ｓよりも上側に位置するときには、ば
ね２０の付勢力Ｆｂが上向きに作用し、開閉蓋１３を開動ａさせてディスク挿通口６を開
放し〔図７（ｃ）参照〕、該開閉蓋１３の開度αを５０°程度に保持する。
【００２６】
上記構成によれば、１つのばね２０だけで、開閉蓋１３を閉動ｂさせてディスク挿通口
６を閉鎖する閉鎖姿勢〔図６（ａ）参照〕と、該開閉蓋１３を開動ａさせてディスク挿通
口６を開放する開放姿勢〔図６（ｃ）参照〕とをそれぞれ保持することができ、部品点数
が少なく構造が簡単で製作費が安くつく。
【００２７】
上記実施の形態では、ばね２０を１つ用いて一方のアーム１５と係止片１９との間に張
設したが、これに限定されるわけではなく、各アーム１５に対向して係止片１９を一対設
け、ばね２０を２つ用いて各アーム１５と各係止片１９との間に張設するようにしてもよ
い。これによれば、開閉蓋１３の閉鎖姿勢〔図６（ａ）参照〕と開放姿勢〔図６（ｃ）参
照〕とを一層確実に保持することができる。
【００２８】
図７（ａ）に示すように、ディスク挿通口６を開閉蓋１３で閉鎖している状態で、エジ
ェクト信号に基づいてスロットイン式ＤＶＤレコーダ５からディスクＤが押し上げられる
と、図７（ｂ）に示すように、押し上げられたディスクＤにより開閉蓋１３をばね２０に
抗して開動ａさせ、可動孔１５ｂが仮想線Ｓを越えた時点で〔図６（ｂ）参照〕、該開閉
蓋１３がばね２０の付勢力Ｆｂにより一気に開動ａされ、ディスク挿通口６が開放される
。続いて、図７（ｃ）に示すように、ディスク挿通口６を通って押し上げられたディスク
Ｄの上端部を把持して上方に引っ張ることにより、そのディスクＤをスロットイン式ＤＶ
Ｄレコーダ５から取り出す。
【００２９】
上記構成によれば、エジェクト信号に基づいてスロットイン式ＤＶＤレコーダ５からデ
ィスクＤを押し上げると、そのディスクＤにより開閉蓋１３をばね２０に抗して自動的に
開動ａさせて、そのディスクＤの上端部をディスク挿通口６から上方に突出させるので、
その突出した上端部を把持してディスクＤをスロットイン式ＤＶＤレコーダ５から簡単に
取り出すことができる。
【００３０】
ディスクＤをスロットイン式ＤＶＤレコーダ５に差し込む場合には、指部で開閉蓋１３
を開動ａさせ、開放されたディスク挿通口６を通ってディスクＤをスロットイン式ＤＶＤ
レコーダ５に差し込み、指部で開閉蓋１３を閉動ｂさせてディスク挿通口６を閉鎖すれば
よい。
【産業上の利用可能性】
【００３１】
上記の実施の形態では、スロットイン式ディスク装置として、再生や記録または消去を
行うスロットイン式ＤＶＤレコーダ５を例にあげて説明したが、これに限定されるわけで
はなく、例えば再生専用のスロットイン式ＤＶＤプレーヤにも適用される。
【図面の簡単な説明】
【００３２】
【図１】本考案の実施の一形態であるディスク装置一体型テレビジョン受像機の斜視図である。
【図２】同ディスク挿通口閉鎖状態の要部の斜視図である。
【図３】同ディスク挿通口開放状態の要部の斜視図である。
【図４】同要部の縦断面図である。
【図５】同要部の下面図である。
【図６】（ａ）〜（ｃ）は開閉蓋の開閉動手順を示す横断面図である。
【図７】（ａ）〜（ｃ）はディスク挿通口の開閉手順を示す横断面図である。
【図８】従来例を示す斜視図である。
【符号の説明】
【００３３】
１        キャビネット
３        トレイ式ディスク装置
５        スロットイン式ＤＶＤレコーダ（ディスク装置）
６        ディスク挿通口
７        薄型テレビジョン受像機
１０      天板部
１３      開閉蓋
１５      アーム
１５ａ    枢支軸
１５ｂ    可動孔
１７      軸受部
１９      係止片
１９ａ    係止孔
２０      ばね
Ｄ        ディスク
Ｓ        仮想線
ａ，ｂ    開閉動
【図１】
0003111797.tif 000003
【図２】
0003111797.tif 000004
【図３】
0003111797.tif 000005
【図４】
0003111797.tif 000006
【図５】
0003111797.tif 000007
【図６】
0003111797.tif 000008
【図７】
0003111797.tif 000009
【図８】
0003111797.tif 000010